【事件の表示】
　平成　７年特許願第５０００２６号「表示装置」拒絶査定不服審判事件〔平成　６年１２月　８日国際公開、ＷＯ９４／２８５３４、平成　９年　５月１３日国内公表、特表平　９−５０４８７８〕について、次のとおり審決する。
【結　論】
　本件審判の請求は、成り立たない。
【理　由】
１．手続の経緯
　本願は、平成６年５月２５日（パリ条約による優先権主張、１９９３年５月２５日、オーストラリア）を国際出願日とする特願平７−５０００２６号であって、平成１４年７月２日付けで拒絶査定がなされ、これを不服として同年１０月４日に審判請求がなされるとともに、同月３１日付けで手続補正がなされたものである。
　
２．平成１４年１０月３１日付けの手続補正についての却下の決定
　
［補正却下の決定］
　平成１４年１０月３１日付けの手続補正を却下する。
　
［理由］
　
（１）補正事項
　平成１４年１０月３１日付けの手続補正（以下、「本件補正」という。）は、以下の補正事項を含むものである。
　
・補正事項ａ
　本件補正前の特許請求の範囲の請求項１における「ローラ」を「ローラ部材」と補正する補正事項。
　
・補正事項ｂ
　同じく、本件補正前の特許請求の範囲の請求項１における「トランスライト」を「トランスパレンシー」と補正する補正事項。
　
・補正事項ｃ
　同じく、本件補正前の特許請求の範囲の請求項１において、「前記表示手段（３６）が表示位置にあるときに、前記ローラ部材（３１、３２）に巻き付けられた前記キャリア手段（３３）の湾曲部分に前記表示手段（３６）が位置しておらず、かつ前記表示位置である前部とその前部の裏面側である後部との各々に前記表示手段（３６）の各々が配置されていること」を追加する補正事項。
　
（２）補正の目的
　本件補正前の請求項１では、同一の構成であるにもかかわらず「ローラ」或いは「ローラ部材」と異なる用語を用いていたが、補正事項ａは、これを「ローラ部材」に統一するための補正である。また、本件補正前の特許請求の範囲と発明の詳細な説明とでは、同一の構成であるにもかかわらず異なる用語を用いていたが、補正事項ｂは、これを発明の詳細な説明における「トランスパレンシー」に統一するための補正である。したがって、補正事項ａ及び補正事項ｂはともに、平成６年改正前特許法（以下、単に特許法という。いわゆる平成５年法のことである。）第１７条の２第３項第４号に規定された明りようでない記載の釈明を目的とするものである。
　補正事項ｃは、「キャリア手段」の上に設けられた「表示手段」の配置を、他の「表示手段」との関係および「キャリア手段」の湾曲部分との関係に基づいて限定するものであり、特許法第１７条の２第３項第２号に規定する特許請求の範囲の減縮を目的とするものである。
　
（３）独立特許要件
　上記（２）で述べたとおり、補正事項ｃは特許請求の範囲の減縮を目的とするものである。そこで、本件補正後の請求項１に係る発明が、特許出願の際独立して特許を受けることができるものであるか（特許法第１７条の２第４項において準用する同法第１２６条第３項の規定に適合するか）について以下に検討する。
　
（３−１）本件補正発明
　本件補正後の請求項１に係る発明（以下、「本願補正発明」という。）は、本件補正後の特許請求の範囲の請求項１に記載された以下のとおりのものである。なお、下線は補正箇所を示す。
　
「実質的に平行に間隔をとられる関係で位置される少なくとも２つの回転可能なローラ部材（３１、３２）と、
　ベルトまたはバンドとして実現され、軽量ポリカーボネートまたは軽量ポリカーボネートと実質的に同一のプラスチック材料で形成され、前記ローラ
部材
部材（３１、３２）
　前記キャリア手段（３３）の表示部分とその上の前記表示手段（３６）とを照明するために、前記キャリア手段（３３）の少なくとも一部の後ろに設けられる照明手段（３７）を含む、表示装置（３０）であって、
　前記表示手段（３６）は、前記表示装置（３０）が回転した後に１つ以上の別個の休止位置が自動的に識別されて、それにより前記休止位置において前記表示手段の１つがそれぞれの対のローラ
部材
部材
トランスパレンシー
前記表示手段（３６）が表示位置にあるときに、前記ローラ部材（３１、３２）に巻き付けられた前記キャリア手段（３３）の湾曲部分に前記表示手段（３６）が位置しておらず、かつ前記表示位置である前部とその前部の裏面側である後部との各々に前記表示手段（３６）の各々が配置されている
　
（３−２）引用発明
　原査定の拒絶の理由に引用された、本願出願前日本国内において頒布された刊行物である、特開平３−５０３３２４号公報（以下、「引用例」という。）には、次の事項が記載または図示されている。
　
（ア）請求の範囲
「１．光を透過させる無端の搬送ベルト上に交換可能に配置される光透過性の絵図及びポスターを展示させるための装置であって、搬送ベルトがケース内に設けられ、ケースの前壁が窓を有し、窓の後方に、絵図を背後から連続的に照明する光源が設けられ、前記搬送ベルトが駆動される搬送ローラと転向ローラとを介して案内されている前記装置において、
　搬送ベルト（８）が、ケース内上方に互いに平行になるように設けられ駆動される複数個の搬送ローラ（９）にして発泡材から成るコーティング部（２４）を備えた複数個の搬送ローラ（９）と、該搬送ローラ（９）と交互に搬送ベルト（８）を案内しケース下部に自由回転するように設けられた転向ローラ（１０、１１）とを介して案内されていることを特徴とする装置。」
　
（イ）第２ページ左下欄１行〜同欄５行
「本発明の課題は、光を透過する絵図及びポスターを展示する装置を、簡単な構造で多数の絵図を連続的に反復展示させることができ、交換可能な絵図に荷重が加わらず、従って絵図を長時間にわたって連続して展示することができるように構成することである。」
　
（ウ）第２ページ左下欄１７行〜同ページ右下欄９行
「絵図の搬送は搬送ローラを駆動することによって行われる。搬送ローラは、発泡ゴムのような発泡材から成るコーティング部を備えているので、搬送ベルトと搬送ローラとの間の摩擦を利用して両者を結合させることができる。・・・転向ローラは駆動する必要がなく、惰力で回転するように支持されていればよい。それにもかかわらず搬送ベルトを十分に緊張させ、搬送ローラの発泡材コーティング部の弾性的なたわみによって十分な接着が得られる。・・・一方上部搬送ローラは、ポリアミドのような透明プラスチックフォイルから成っている抵抗力のある搬送ベルトとだけ直接に接触する。」
　
（エ）第２ページ右下欄１２行〜同欄２２行
「搬送ローラの駆動はステッピング切換えモータを介して行われる。このため同一に構成される搬送ローラは端部側にそれぞれ、ステッピング切換えモータの駆動歯車と連結されている歯車を備えている。駆動される搬送ローラは同じ高さにある必要はないので、その歯車は遊星歯車のごとく同時に且つ直接にステッピング切換えモータの１つの共通の駆動歯車と噛み合うことができる。ステッピング切換えモータを操作し停止させるために、搬送ベルトの縁に切換え要素を配置することができる。この切換え要素はマイクロスイッチまたは誘導的近接スイッチと協働する。」
　
（オ）第３ページ右上欄４行〜同欄１２行
「本発明による装置の応用分野はショーウィンドー広告やポスター広告のような広告目的のための使用・・・に限定されるものではない。本発明による装置をテーブルのテーブル板として使用してメニューを表示させたり、メニューに記載されている献立の写真を表示させること・・・にも使用できる。」
　
（カ）第３ページ左下欄１０行〜同ページ右下欄１０行
「種々の絵図７を時間的に連続して再生するため搬送ベルト８が設けられている。搬送ベルト８上に絵図７が交換可能に固定される。搬送ベルト８は、駆動される上部の搬送ローラ１９と駆動されない下部の転向ローラ１１により交互に案内されている。・・・窓３とその後方にある搬送ベルト８の一部分との後ろには光源１２が設けられている。光源１２はネオン管として構成されている。・・・搬送ベルト８の始動と停止のためにスイッチ１８と１８’が窓３の上方及び下方に設けられている。スイッチ１８と１８’は、搬送ベルト８の縁に設けた切換え要素２９によって操作される。このため図面には図示していないが、タイマーを設けてもよい。タイマーは、調整可能な一定時間経過後、別の絵図が展示位置まで搬送されてこの位置で切換え要素１８、２９を介して切換えステッピングモータ１５が停止されるまでの間該切換えステッピングモータ１５を自動的に作動させる。」
　
（キ）第４ページ左上欄２０行〜同ページ右上欄２行
「照明される一連の絵図７を装置の窓３に展示するため、第４図のように光を透過させる絵図７が順番に搬送ベルト８に固定される。駆動モータ１５は、一枚の絵図７を展示位置に搬送させた後切換え装置を介して自動的に停止され、迅速始動システムを備えた蛍光灯１２が始動する。この状態で蛍光灯１２は、光を透過させるプラスチックフォイルから成る搬送ベルトと、その前にある絵図を照明する。」
　
（ク）第２図
　第２図には、転向ローラ（１０）と転向ローラ（１１）の間のほぼ中央位置に絵図が配置されていること、および、絵図の一つが窓の展示位置に搬送されたとき、その他の絵図の一つは転向ローラ（１１）に巻き付けられた搬送ベルトの湾曲部分に位置していることが図示されている。
　
　まず、引用例に記載された「絵図及びポスターを展示させるための装置」は「表示装置」であり、上記（ア）における「ケース内上方に互いに平行になるように設けられ駆動される複数個の搬送ローラ（９）」の記載及び第２図の図示からみて、搬送ローラ（９）及び転向ローラ（１０、１１）は、互いに離間しかつ平行になるよう設けられていることも明らかである。
　次に、搬送ベルト（８）及びその上に固定される絵図は、搬送ローラ（９）及び転向ローラ（１０、１１）によってその搬送方向が９０度または１８０度の方向へ転向されているのであるから、実質的に可撓性を有する材料で構成されていなければならない。
　また、上記（ウ）の記載からみて、搬送ベルトは、搬送ローラ（９）と摩擦を利用して結合されており、転向ローラ（１０、１１）とも十分に接着しているのであるから、搬送ベルトはこれらローラ（９、１０、１１）によってしっかりと支持されているといえる。
　さらに、上記（カ）の記載によれば、光源は搬送ベルトの後ろから照明しているのであるから、当該光源は、搬送ベルトの絵図に対応した部分と、その上の絵図とを照明している。
　それ故、これら（ア）〜（ク）を含む引用例の全記載及び図示からみて、引用例には、以下の発明が記載されているものと認める（以下、「引用発明」という。）。
　
「互いに離間しかつ平行になるよう設けられた複数の搬送ローラ（９）及び転向ローラ（１０、１１）と、
　ポリアミドのような透明プラスチックフォイルから成り、前記搬送ローラ（９）及び転向ローラ（１０、１１）によってしっかりと支持され、かつ前記搬送ローラ（９）及び転向ローラ（１０、１１）を介して案内され、多数の光透過性の絵図を交換可能に固定する、光を透過させる搬送ベルトと、
　前記搬送ローラ（９）及び転向ローラ（１０、１１）と搬送ベルトを内部に設け、その前壁に窓を有するケースと、
　前記搬送ベルトの前記絵図に対応した部分と、その上の前記絵図とを照明するために、前記搬送ベルトの一部分の後ろに設けられる光源を含む、表示装置であって、
　前記窓の上方及び下方に設けたスイッチが前記搬送ベルトの縁に設けられた切換え要素により操作されて前記搬送ローラ（９）を停止させることにより、前記絵図の一つは前記窓の展示位置に搬送され、その他の絵図の一つは、前記転向ローラ（１１）に巻き付けられた搬送ベルトの湾曲部分に位置している、表示装置。」
　
（３−３）対比
　本願補正発明と引用発明とを対比する。
　
（ａ）引用発明における「実質的に平行になるよう設けられたそれぞれ複数の搬送ローラ（９）及び転向ローラ（１０、１１）」、「透明プラスチックフォイルから成り、・・・光を透過させる搬送ベルト」は、それぞれ本願補正発明における「実質的に平行に間隔をとられる関係で位置される少なくとも２つの回転可能なローラ部材（３１、３２）」、「ベルトまたはバンドとして実現され、・・・プラスチック材料で形成されるキャリア手段」に相当する。
　
（ｂ）引用発明における「搬送ローラ（９）及び転向ローラ（１０、１１）」は互いに離間して配置されるのであるから、これらを介して案内される「搬送ベルト」は、当然に「搬送ローラ（９）及び転向ローラ（１０、１１）」の間を延びており、当該ローラの周囲を回転可能である。それ故、引用発明における「搬送ローラ（９）及び転向ローラ（１０、１１）を介して案内され」は、本願補正発明における「ローラ部材（３１、３２）の周囲を回転可能であり」に相当する。
　
（ｃ）引用発明における「光透過性の絵図」は、本願補正発明における「表示手段（３６）」または「トランスパレンシー」に相当する。また、引用発明における「搬送ベルトの絵図に対応した部分」、「光源」は、それぞれ本願補正発明における「キャリア手段の表示部分」、「照明手段（３７）」に相当する。
　
（ｄ）本願補正発明の「キャリア手段（３３）」は、その上に「表示手段（３６）」を「受けるようにされる」ものである。この「受けるようにされる」の意味について本願の発明の詳細な説明を参酌すると、「表示手段は、たとえば、ウィンドウスティッカー等に用いられるような実質的に透明なまたは透光性の粘着性材料による、またはベルクロ、粘着テープなどのように簡単に取付および取外が可能な他の既知の手段による、任意の既知の手段でキャリア手段に取外可能なように取付けられる。」、「単一のトランスパレンシーを取付けるために、たとえばのり、ベルクロ、テープなどのようなさまざまな手段が利用できる。」との記載があることからみて、交換可能に固定する態様も含むものと解される。それ故、引用発明における「多数の光透過性の絵図を交換可能に固定する」は、本願補正発明における「少なくとも１つの表示手段（３６）をその上に受けるようにされる」に相当する。
　
　したがって、両者は、
「実質的に平行に間隔をとられる関係で位置される少なくとも２つの回転可能なローラ部材（３１、３２）と、
　ベルトまたはバンドとして実現され、プラスチック材料で形成され、前記ローラ部材（３１、３２）によってしっかりと支持されかつ前記ローラ部材（３１、３２）の周囲を回転可能であり、少なくとも１つの表示手段（３６）をその上に受けるようにされるキャリア手段（３３）とを含み、前記キャリア手段（３３）と前記表示手段（３６）との各々は実質的に可撓性でありかつ透光性である材料で少なくとも部分的に構成され、さらに、
　前記キャリア手段（３３）の表示部分とその上の前記表示手段（３６）とを照明するために、前記キャリア手段（３３）の少なくとも一部の後ろに設けられる照明手段（３７）を含む、表示装置（３０）であって、
　前記表示手段（３６）は、トランスパレンシーとして実現されていることを特徴とする、表示装置（３０）。」
において一致し、以下の点で相違する。
　
［相違点１］
　本願補正発明では、キャリア手段（３３）を形成する材料として、軽量ポリカーボネートまたは軽量ポリカーボネートと実質的に同一のプラスチック材料としているのに対して、引用発明における搬送ベルトは、ポリアミドのような透明プラスチックフォイルとしている点。
　
［相違点２］
　本願補正発明では、「表示手段（３６）は、前記表示装置（３０）が回転した後に１つ以上の別個の休止位置が自動的に識別されて、それにより前記休止位置において前記表示手段の１つがそれぞれの対のローラ部材（３１、３２）間において中央に位置付けられるように、１対の隣接するローラ部材（３１、３２）間に適合するよう寸法決めされかつ形造られ」ており、かつ「前記表示手段（３６）が表示位置にあるときに、前記ローラ部材（３１、３２）に巻き付けられた前記キャリア手段（３３）の湾曲部分に前記表示手段（３６）が位置しておらず、かつ前記表示位置である前部とその前部の裏面側である後部との各々に前記表示手段（３６）の各々が配置されている」のに対して、引用発明は、窓の上方及び下方に設けたスイッチが搬送ベルトの縁に設けられた切換え要素により操作されて前記搬送ローラ（９）を停止させることにより、絵図の一つは前記窓の展示位置に搬送され、その他の絵図の一つは転向ローラ（１１）に巻き付けられた搬送ベルトの湾曲部分に位置している点。
　
（３−４）判断
　
（３−４−１）相違点１について
　本願の発明の詳細な説明の記載（「キャリア手段またはベルトは好ましくはたとえば「レキサン」のようなプラスチックまたは他のポリカーボネート材料で構成される。」）、および特許請求の範囲の記載（「５．前記キャリア手段は、「レキサン」のような軽量ポリカーボネートまたは同様のプラスチック材料で形成される」）を参酌すると、本願補正発明における「軽量ポリカーボネート」とは、ポリカーボネートの中でも特に軽量なポリカーボネートという意味ではなく、他のプラスチック材料よりも軽量なポリカーボネートという意味に解するべきである。そして、搬送ベルトの材料としてポリカーボネートを用いることは従来周知（特開平５−３６７５９号公報（段落番号００１６）、特開昭５９−２１２８５６号公報（第２ページ左下欄３行〜同欄１１行）参照。）であるから、引用発明における「搬送ベルト」の材料として、他のプラスチック材料よりも軽量なポリカーボネートを用いることは、当業者であれば容易に想到できることである。
　
（３−４−２）相違点２について
　まず、引用発明は、多数の絵図を展示できるように搬送ベルトを長くし、かつ、装置内に多くの搬送ローラ（９）及び転向ローラ（１１）を設けているが、単に２枚の絵図だけを展示したいときには、このように多くのローラは必要とせず、１つの搬送ローラと１つの転向ローラ（本願明細書に記載された第２図（ａ）の態様）、あるいは１つの搬送ローラと３つの転向ローラ（本願明細書に記載された第２図（ｂ）の態様）で足りることは明らかである。そして、２枚の絵図だけを展示するとなれば、搬送ベルトに懸架される絵図の重量バランスを均衡させるためにも、また搬送ローラの駆動時間を均一化し制御を容易にするためにも、１枚の絵図が展示位置にあるときは、他の絵図は搬送ベルトの湾曲部分ではなく、当該展示位置の裏側、すなわち休止位置に位置するように２枚の絵図を搬送ベルトに配置し、かつ展示位置及び休止位置を１対のローラ間における中央に位置づけることが自然であるから、このような位置関係となるよう絵図の寸法を決め形造ることは当業者にとって容易に想到できることである。
　次に、請求人は審判請求書において次のように主張する。
「キャリア手段を回転させて、参考図１の（ａ）に示すように表示手段３６がキャリア手段３３の湾曲部分に位置するような状態で停止させようとしても、表示手段３６が湾曲部分に位置した状態でバランスを取ることは困難です。たとえば、図中上側の表示手段３６の右下端Ｂは左下端Ｃよりも下側に位置しており、この右下端Ｂは左下端Ｃよりも矢印Ａ方向に大きな力を受けるため、この状態では図中上側の表示手段３６はバランスを保つことができません。このため、図中上側の表示手段３６は停止せず、その右下端Ｂは矢印Ａ方向に移動します。そして、参考図１の（ｂ）に示すように２つの表示手段３６が自然に釣り合う状態まで回転して停止します。これにより、２つの表示手段３６には自然な釣り合いの効果が生じて、２つの表示手段３６の各々は休止位置において１対のローラ部材間において中央に位置付けられます。
　このように本願発明（当審注：「本願補正発明」のこと。）では、表示手段３６が湾曲部分に位置した状態でバランスを取ることが困難であるため、表示手段３６が表示位置に来たとき（つまり休止位置になるとき）に、前部と後部との各表示手段３６がキャリア手段３３の湾曲部分に位置しないように位置決めされかつ形造られることにより、前部と後部との各表示手段３６が自然な釣り合いをとることが可能とされ、自動的なアライメント（位置合せ）が「休止位置」に生じることになります。これにより本願発明ではセルフアライメントを実現することができます。
　このように本願発明では、前部と後部との各表示手段３６の自然な釣り合いにより「セルフアライメント」が達成できるため、キャリア手段の休止位置を識別するための機械的／電気的なセンサなどの別個の部材が不要となります。」（審判請求書を補正する平成１４年１２月２０日付け手続補正書第３ページ１１行〜第４ページ２行）
　しかしながら、平成１４年１２月２０日付け手続補正書に記載された参考図（ａ）において、図中下側の表示手段３６の左上端にも下向きの力（参考図（ａ）に便宜上付した矢印Ｄを参照。）が作用し、当該力は図中上側の表示手段３６の右下端Ｂに作用する力と対抗することになるため、必ずしも図中上側の表示手段３６の右下端Ｂは矢印Ａ方向に移動するとは限らない。
　以上のとおり、請求人の前記主張は採用できないから、本願補正発明における「休止位置が自動的に識別され」とは、センサを用いて表示手段の休止位置を検出するものを含むと解さざるを得ない。
　ところで、引用発明では、絵図の展示位置（本願補正発明における「表示位置」に相当。）を検出するセンサを設けている。しかしながら、前述のように２枚の絵図を展示する場合には、絵図の展示位置と休止位置とは表裏の関係になることが自然であるから、絵図の休止位置を検出すれば自ずと絵図の展示位置を検出することになる。
　したがって、引用発明において、２枚の絵図を展示するものとし、これら絵図の展示位置及び休止位置が１対のローラ間において中央に位置づけられるように絵図が寸法決めされかつ形造られているとともに、一方の絵図を展示位置に位置づけるため、他方の絵図が休止位置に位置づけられたか否かをセンサにより検出させることは、当業者であれば容易に想到できることである。
　
（３−５）独立特許要件のむすび
　上記相違点は当業者であれば容易に想到できることであり、本願補正発明の作用効果も引用発明及び周知技術から当業者が予測できる範囲のものである。
　したがって、本願補正発明は、引用発明及び周知技術に基づいて、当業者が容易に発明をすることができたものであるから、特許法第２９条第２項の規定により特許出願の際独立して特許を受けることができないものである。
　
（４）補正却下の決定のむすび
　以上のとおり、本件補正は、特許法第１７条の２第４項の規定で準用する同法第１２６条第３項に規定される独立特許要件を満たしていないものであり、特許法第１５９条第１項で準用する同法第５３条第１項の規定によって却下すべきものである。
　
３．本願発明
　平成１４年１０月３１日付けの手続補正は上記のとおり却下されたので、本願の請求項１に係る発明（以下、同項記載の発明を「本願発明」という。）は、平成１４年５月１７日付け手続補正書の特許請求の範囲の請求項１に記載された以下のとおりのものである。
　
「実質的に平行に間隔をとられる関係で位置される少なくとも２つの回転可能なローラ部材（３１、３２）と、
　ベルトまたはバンドとして実現され、軽量ポリカーボネートまたは軽量ポリカーボネートと実質的に同一のプラスチック材料で形成され、前記ローラ（３１、３２）によってしっかりと支持されかつ前記ローラの周囲を回転可能であり、および／またはスプールのような態様で少なくとも２つの前記ローラ部材（３１、３２）の間を延び、少なくとも１つの表示手段（３６）をその上に受けるようにされるキャリア手段（３３）とを含み、前記キャリア手段（３３）と前記表示手段（３６）との各々は実質的に可撓性でありかつ透光性である材料で少なくとも部分的に構成され、さらに、
　前記キャリア手段（３３）の表示部分とその上の前記表示手段（３６）とを照明するために、前記キャリア手段（３３）の少なくとも一部の後ろに設けられる照明手段（３７）を含む、表示装置（３０）であって、
　前記表示手段（３６）は、前記表示装置（３０）が回転した後に１つ以上の別個の休止位置が自動的に識別されて、それにより前記休止位置において前記表示手段の１つがそれぞれの対のローラ（３１、３２）間において中央に位置付けられるように、１対の隣接するローラ（３１、３２）間に適合するよう寸法決めされかつ形造られたトランスライトおよび／またはスラットとして実現されることを特徴とする、表示装置（３０）。」
　
（１）引用例
　原査定の拒絶の理由に引用された引用例及びその記載事項は、前記「２．（３−２）」に記載したとおりである。
　
（２）対比・判断
　本願発明は、前記２．で検討した本願補正発明における「前記表示手段（３６）が表示位置にあるときに、前記ローラ部材（３１、３２）に巻き付けられた前記キャリア手段（３３）の湾曲部分に前記表示手段（３６）が位置しておらず、かつ前記表示位置である前部とその前部の裏面側である後部との各々に前記表示手段（３６）の各々が配置されていること」という「表示手段」の配置に係る限定を削除したものである。
  そうすると、本願発明の構成要件を全て含み、さらに「表示手段」の配置を限定したものに相当する本願補正発明が、前記「２．（３−４）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明は、引用発明及び周知技術に基づいて当業者が容易に発明をすることができたものであるから、特許法第２９条第２項の規定により特許を受けることができない。
　本願発明が特許法２９条２項の規定により特許を受けることができないから、本願のその余の請求項に係る発明について検討するまでもなく、本願は拒絶を免れない。
　よって、結論のとおり審決する。